【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
撮像装置であって、
合焦用レンズにより結像された被写体像を撮像して画像データを出力する撮像部と、
あおり補正レベルに応じたあおり補正画像データを生成するあおり補正画像生成部と、
前記あおり補正画像データが表すあおり補正画像を表示する表示部と、
前記撮像部に画像データを出力させ、当該画像データに基づいて前記あおり補正画像生成部にあおり補正画像データを生成させ、当該あおり補正画像データが表すあおり補正画像を前記表示部に表示させる、という制御を繰り返し行うライブビュー制御部と、
前記あおり補正レベルに基づいて決定された複数のレンズ位置の各々へ前記合焦用レンズを移動させると共に、前記合焦用レンズが前記複数のレンズ位置の各々に移動したときに前記撮像部に画像データを出力させる、という制御を行うフォーカスブラケット撮像制御部と、
を備えることを特徴とする撮像装置。
【請求項２】
画像中の被写体全体にピントが合った画像を表す合成画像データを生成する合成画像生成部を更に備え、
前記フォーカスブラケット撮像制御部は、前記複数のレンズ位置の各々において前記撮像部から出力された複数の画像データに基づいて前記合成画像生成部に合成画像データを生成させ、当該合成画像データに基づいて前記あおり補正画像生成部にあおり補正画像データを生成させる、という制御を更に行う、
ことを特徴とする請求項１記載の撮像装置。
【請求項３】
前記合成画像生成部は、前記あおり補正レベルに応じたあおり角と前記複数のレンズ位置の各々に応じた被写体距離とに基づいて決定される複数の画像領域と、当該複数の画像領域の各々の各画素領域における前記複数の画像データの各々に対して付与されている重み付けとに基づいて、前記合成画像データを生成する、
ことを特徴とする請求項２記載の撮像装置。
【請求項４】
前記複数のレンズ位置は、被写体に合焦するときの前記合焦用レンズのレンズ位置を基準位置として、当該基準位置と前記あおり補正レベルに応じたあおり角とに基づいて決定
される、
ことを特徴とする請求項１乃至３の何れか１項に記載の撮像装置。
【請求項５】
撮像装置の制御方法であって、
合焦用レンズにより結像された被写体像を撮像して画像データを出力し、当該画像データに基づいてあおり補正レベルに応じたあおり補正画像データを生成し、当該あおり補正画像データが表すあおり補正画像を表示する、という制御を繰り返し行うライブビュー制御を行い、
前記あおり補正レベルに基づいて決定された複数のレンズ位置の各々へ前記合焦用レンズを移動させると共に、前記合焦用レンズが前記複数のレンズ位置の各々に移動したときに前記合焦用レンズにより結像された被写体像を撮像して画像データを出力する、という制御を行うフォーカスブラケット撮像制御を行う、
ことを特徴とする制御方法。
【請求項６】
撮像装置のコンピュータに、
合焦用レンズにより結像された被写体像を撮像して画像データを出力し、当該画像データに基づいてあおり補正レベルに応じたあおり補正画像データを生成し、当該あおり補正画像データが表すあおり補正画像を表示する、という制御を繰り返し行うライブビュー制御機能と、
前記あおり補正レベルに基づいて決定された複数のレンズ位置の各々へ前記合焦用レンズを移動させると共に、前記合焦用レンズが前記複数のレンズ位置の各々に移動したときに前記合焦用レンズにより結像された被写体像を撮像して画像データを出力する、という制御を行うフォーカスブラケット撮像制御機能と、
を実現させるためのプログラム。
【手続補正２】
【補正対象書類名】明細書
【補正対象項目名】００１０
【補正方法】変更
【補正の内容】
【００１０】
本発明の第１の態様は、撮像装置であって、合焦用レンズにより結像された被写体像を撮像して画像データを出力する撮像部と、あおり補正レベルに応じたあおり補正画像データを生成するあおり補正画像生成部と、前記あおり補正画像データが表すあおり補正画像を表示する表示部と、前記撮像部に画像データを出力させ、当該画像データに基づいて前記あおり補正画像生成部にあおり補正画像データを生成させ、当該あおり補正画像データが表すあおり補正画像を前記表示部に表示させる、という制御を繰り返し行うライブビュー制御部と、前記あおり補正レベルに基づいて決定された複数のレンズ位置の各々へ前記合焦用レンズを移動させると共に、前記合焦用レンズが前記複数のレンズ位置の各々に移動したときに前記撮像部に画像データを出力させる、という制御を行うフォーカスブラケット撮像制御部と、を備える撮像装置を提供する。
【手続補正３】
【補正対象書類名】明細書
【補正対象項目名】００１４
【補正方法】変更
【補正の内容】
【００１４】
本発明の第５の態様は、撮像装置の制御方法であって、合焦用レンズにより結像された被写体像を撮像して画像データを出力し、当該画像データに基づいてあおり補正レベルに
応じたあおり補正画像データを生成し、当該あおり補正画像データが表すあおり補正画像を表示する、という制御を繰り返し行うライブビュー制御を行い、前記あおり補正レベルに基づいて決定された複数のレンズ位置の各々へ前記合焦用レンズを移動させると共に、前記合焦用レンズが前記複数のレンズ位置の各々に移動したときに前記合焦用レンズにより結像された被写体像を撮像して画像データを出力する、という制御を行うフォーカスブラケット撮像制御を行う、制御方法を提供する。
【手続補正４】
【補正対象書類名】明細書
【補正対象項目名】００１５
【補正方法】変更
【補正の内容】
【００１５】
本発明の第６の態様は、撮像装置のコンピュータに、合焦用レンズにより結像された被写体像を撮像して画像データを出力し、当該画像データに基づいてあおり補正レベルに応じたあおり補正画像データを生成し、当該あおり補正画像データが表すあおり補正画像を表示する、という制御を繰り返し行うライブビュー制御機能と、前記あおり補正レベルに基づいて決定された複数のレンズ位置の各々へ前記合焦用レンズを移動させると共に、前記合焦用レンズが前記複数のレンズ位置の各々に移動したときに前記合焦用レンズにより結像された被写体像を撮像して画像データを出力する、という制御を行うフォーカスブラケット撮像制御機能と、を実現させるためのプログラムを提供する。
【手続補正５】
【補正対象書類名】明細書
【補正対象項目名】００４５
【補正方法】変更
【補正の内容】
【００４５】
続いて、マイクロコンピュータ２１１は、操作部２１３に対するカメラ設定のための操作が行われたか否かを判定する（Ｓ１０４）。
Ｓ１０４の判定結果がＹｅｓの場合、マイクロコンピュータ２１１は、操作部２１３に対する操作に応じてカメラ設定を行う（Ｓ１０５）。このカメラ設定では、ユーザは、あおり補正モードの設定、あおり補正レベルの設定、ＲＡＷ記録モードの設定等を行うことができる。但し、あおり補正レベルの設定は、あおり補正モードの設定を行った後に行うことができる。あおり補正レベルの設定方法については、図５を用いて後述する。一方、Ｓ１０４の判定結果がＮｏの場合には、Ｓ１０５をスキップする。
【手続補正６】
【補正対象書類名】明細書
【補正対象項目名】００６７
【補正方法】変更
【補正の内容】
【００６７】
スライドバー２１８３は、画像の水平方向のあおり補正レベルの設定に使用されるものである。このスライドバー２１８３は、操作部２１３に含まれる左右のボタン２１３３、２１３４の操作に応じて左右方向に移動し、中央位置２１８３ａ（図５ではスライドバー２１８３と重なっているために破線で示す）からのスライドバー２１８３の移動量に応じて画像左右方向のあおり補正レベルが設定される。より詳しくは、スライドバー２１８３が中央位置２１８３ａにある場合には、画像水平方向のあおり補正レベルが０に設定され、中央位置２１８３ａからのスライドバー２１８３の移動量が大きくなるほど、その移動
方向へのあおり補正レベルが高く設定される。スライドバー２１８３の左側に表示されるアイコン２１８３ｂは、スライドバー２１８３を中央位置２１８３ａから左方向へ移動したときの、おあり補正後の画像形状の傾向を示すものであり、スライドバー２１８３の右側に表示されるアイコン２１８３ｃは、スライドバー２１８３を中央位置２１８３ａから右方向へ移動したときの、おあり補正後の画像形状の傾向を示すものである。